(57)【要約】  かごの停止階においてかご戸と乗場戸が開いている場合でも、かごの停止階以外の階で乗場戸が開いていることを検出できるエレベータシステムを提供する。エレベータシステムは、戸開許可ゾーンがそれぞれ設定された複数の乗場戸と、昇降路の内部において前記複数の乗場戸の位置に応じてそれぞれ設けられ、エレベータのかごが対応する戸開許可ゾーンに進入したことを検出する複数の第２戸開許可ゾーン検出回路と、昇降路の内部において前記複数の乗場戸の位置に応じてそれぞれ設けられ、対応する乗場戸の開閉状態に応じて開閉状態が変化する乗場戸開検出用接点を有し、対応する第２戸開許可ゾーン検出回路が前記かごが前記対応する戸開許可ゾーンに進入したことを検出すると前記乗場戸開検出用接点の両端を短絡する複数の乗場戸開検出装置と、前記複数の乗場戸開検出用接点を直列に接続する配線と接続し、前記複数の第２戸開許可ゾーン検出回路の検出状態及び前記複数の乗場戸開検出用接点の状態に基づいて前記かごが戸開許可ゾーンに進入している乗場戸以外の乗場戸が開いていることを検出する制御盤と、を備えた。
2018002992.tif 000002
【特許請求の範囲】
【請求項１】
戸開許可ゾーンがそれぞれ設定された複数の乗場戸と、
昇降路の内部において前記複数の乗場戸の位置に応じてそれぞれ設けられ、エレベータのかごが対応する戸開許可ゾーンに進入したことを検出する複数の第２戸開許可ゾーン検出回路と、
昇降路の内部において前記複数の乗場戸の位置に応じてそれぞれ設けられ、対応する乗場戸の開閉状態に応じて開閉状態が変化する乗場戸開検出用接点を有し、対応する第２戸開許可ゾーン検出回路が前記かごが前記対応する戸開許可ゾーンに進入したことを検出すると前記乗場戸開検出用接点の両端を短絡する複数の乗場戸開検出装置と、
前記複数の乗場戸開検出用接点を直列に接続する配線と接続し、前記複数の第２戸開許可ゾーン検出回路の検出状態及び前記複数の乗場戸開検出用接点の状態に基づいて前記かごが戸開許可ゾーンに進入している乗場戸以外の乗場戸が開いていることを検出する制御盤と、
を備えたエレベータシステム。
【請求項２】
前記制御盤は、前記複数の第２戸開許可ゾーン検出回路及び前記複数の乗場戸開検出用接点の状態に基づいて前記複数の乗場戸開検出装置のうちいずれかが故障したことを検出する請求項１に記載のエレベータシステム。
【請求項３】
前記制御盤は、前記複数の乗場戸開検出装置のうちいずれかが故障したことを検出した場合に前記かごの走行を禁止する請求項２に記載のエレベータシステム。
【請求項４】
前記複数の乗場戸開検出装置のうち少なくとも１つは、リレー回路で構成された請求項１から請求項３のいずれか１項に記載のエレベータシステム。
【請求項５】
前記リレー回路が故障している際に前記かごが当該リレー回路に対応する戸開許可ゾーンに進入した場合は当該リレー回路の乗場戸開検出用接点の両側を短絡させない請求項４に記載のエレベータシステム。
【請求項６】
前記かごに設けられた第２戸開許可ゾーン検出器と、
を備え、
前記複数の第２戸開許可ゾーン検出回路は、前記第２戸開許可ゾーン検出器を検出すると、前記かごが前記第２戸開許可ゾーン検出器を検出した第２戸開許可ゾーン検出回路に対応する戸開許可ゾーンに進入したことを検出する請求項１から請求項５のいずれか１項に記載のエレベータシステム。
【請求項７】
前記かごに設けられた第１戸開許可ゾーン検出回路と、
前記昇降路の内部において前記複数の乗場戸の位置に応じてそれぞれ設けられた複数の第１戸開許可ゾーン検出器と、
を備え、
前記制御盤は、前記第１戸開許可ゾーン検出回路が前記複数の第１戸開許可ゾーン検出器のうちいずれかを検出すると、前記かごが前記第１戸開許可ゾーン検出回路が検出した第１戸開許可ゾーン検出器に対応する戸開許可ゾーンに進入したことを検出する請求項１から請求項６のいずれか１項に記載のエレベータシステム。
【請求項８】
前記制御盤は、前記第１戸開許可ゾーン検出回路の検出状態に基づいて前記かごが戸開許可ゾーンに進入している乗場戸以外の乗場戸が開いていることを検出する請求項７に記載のエレベータシステム。
【請求項９】
前記制御盤は、前記第１戸開許可ゾーン検出回路の検出状態に基づいて前記複数の乗場戸開検出装置のうちいずれかが故障したことを検出する請求項７または請求項８に記載のエレベータシステム。
【請求項１０】
前記制御盤は、前記複数の乗場戸開検出用接点を直列に接続する配線が開放しかつ前記第１戸開許可ゾーン検出回路が前記複数の第１戸開許可ゾーン検出器のいずれも検出していない場合には、前記複数の乗場戸開検出用接点を直列に接続する配線が開放しかつ前記第１戸開許可ゾーン検出回路が前記複数の第１戸開許可ゾーン検出器のうちいずれかを検出している場合よりも小さい制動力で前記かごを停止させる請求項７から請求項９のいずれか１項に記載のエレベータシステム。
【発明の詳細な説明】
【技術分野】
【０００１】
この発明は、エレベータシステムに関する。
【背景技術】
【０００２】
特許文献１は、エレベータシステムを開示する。当該エレベータシステムにおいて、かごが最下階以外の階に停止している際に最下階の乗場戸が開くと、エレベータの運転モードが保守作業モードに切り替わる。
【先行技術文献】
【特許文献】
【０００３】
【特許文献１】日本特開２００７−２７６８９６号公報
【発明の概要】
【発明が解決しようとする課題】
【０００４】
しかしながら、特許文献１に記載のエレベータシステムにおいては、各階の乗場戸開検出用接点が互いに直列に接続されている。このため、かごの停止階においてかご戸と乗場戸とが開いている場合、かごの停止階以外の階で乗場戸が開いていることを検出できない。【０００５】
この発明は、上述の課題を解決するためになされた。この発明の目的は、かごの停止階においてかご戸と乗場戸が開いている場合でも、かごの停止階以外の階で乗場戸が開いていることを検出できるエレベータシステムを提供することである。
【課題を解決するための手段】
【０００６】
この発明に係るエレベータシステムは、戸開許可ゾーンがそれぞれ設定された複数の乗場戸と、昇降路の内部において前記複数の乗場戸の位置に応じてそれぞれ設けられ、エレベータのかごが対応する戸開許可ゾーンに進入したことを検出する複数の第２戸開許可ゾーン検出回路と、昇降路の内部において前記複数の乗場戸の位置に応じてそれぞれ設けられ、対応する乗場戸の開閉状態に応じて開閉状態が変化する乗場戸開検出用接点を有し、対応する第２戸開許可ゾーン検出回路が前記かごが前記対応する戸開許可ゾーンに進入したことを検出すると前記乗場戸開検出用接点の両端を短絡する複数の乗場戸開検出装置と、前記複数の乗場戸開検出用接点を直列に接続する配線と接続し、前記複数の第２戸開許可ゾーン検出回路の検出状態及び前記複数の乗場戸開検出用接点の状態に基づいて前記かごが戸開許可ゾーンに進入している乗場戸以外の乗場戸が開いていることを検出する制御盤と、を備えた。
【発明の効果】
【０００７】
この発明によれば、乗場戸開検出装置は、かごが対応階の戸開許可ゾーンに進入した際に対応した乗場戸開検出用接点の両側を短絡させる。このため、かごの停止階においてかご戸と乗場戸とが開いている場合でも、かごの停止階以外の階で乗場戸が開いていることを検出できる。
【図面の簡単な説明】
【０００８】
【図１】この発明の実態の形態１におけるエレベータシステムの構成図である。
【図２】この発明の実態の形態１におけるエレベータシステムの制御盤の動作を説明するためのフローチャートである。
【図３】この発明の実施の形態１におけるエレベータシステムの制御盤のハードウェア構成図である。
【発明を実施するための形態】
【０００９】
この発明を実施するための形態について添付の図面に従って説明する。なお、各図中、同一又は相当する部分には同一の符号が付される。当該部分の重複説明は適宜に簡略化または省略する。
【００１０】
実施の形態１．
図１はこの発明の実態の形態１におけるエレベータシステムの構成図である。
【００１１】
図１に示すように、エレベータシステムは、かご１と複数の第１戸開許可ゾーン検出器２と第２戸開許可ゾーン検出器３と第１戸開許可ゾーン検出回路４と複数の第２戸開許可ゾーン検出回路５と複数の乗場戸開検出装置６と制御盤７とを備える。
【００１２】
かご１は、図示されない昇降路の内部に設けられる。かご１は、利用者が乗り得るように設けられる。かご１は、昇降し得るように設けられる。かご１は、かご戸１ａを備える。
【００１３】
複数の第１戸開許可ゾーン検出器２は、昇降路の内部に設けられる。複数の第１戸開許可ゾーン検出器２の各々は、乗場戸１ｂの設置位置に応じて設けられる。
【００１４】
第２戸開許可ゾーン検出器３は、かご１の上部に設けられる。
【００１５】
第１戸開許可ゾーン検出回路４は、かご１の上部に設けられる。
【００１６】
複数の第２戸開許可ゾーン検出回路５は、昇降路の内部に設けられる。複数の第２戸開許可ゾーン検出回路５の各々は、乗場戸１ｂの設置位置に応じて設けられる。
【００１７】
複数の乗場戸開検出装置６の各々は、乗場戸１ｂの設置位置に応じて設けられる。例えば、複数の乗場戸開検出装置６の各々は、リレー回路で構成される。
【００１８】
複数の乗場戸開検出装置６の各々は、電源８と乗場戸開検出用ｂ接点９と戸開許可ゾーン検出用ａ接点１０とを備える。電源８の各々は、外部からの電力の供給を受け得るように設けられる。乗場戸開検出用ｂ接点９の各々は、対応階の乗場戸１ｂの開閉状態に応じて開閉状態を変化させ得るように設けられる。乗場戸開検出用ｂ接点９の各々は、互いに直列に接続される。戸開許可ゾーン検出用ａ接点１０の各々は、対応階の第２戸開許可ゾーン検出回路５と基準電位点との間に接続される。戸開許可ゾーン検出用ａ接点１０は、ＲＬＯＫリレーのａ接点である。ＲＬＯＫリレーは、第１戸開許可ゾーン検出回路４がかご１の停止階の第１戸開許可ゾーン検出器２を検出したときに制御盤７の指令により付勢される。
【００１９】
複数の乗場戸開検出装置６の各々は、第１コイル１１と第２コイル１２と第３コイル１３とを備える。第１コイル１１の各々は、戸開許可ゾーン検出用ａ接点１０の各々と基準電位点との間に接続される。第２コイル１２の各々は、第１戸開許可ゾーン検出回路４と基準電位点との間に接続される。第３コイル１３の各々は、電源８の各々と基準電位点との間に接続される。
【００２０】
複数の乗場戸開検出装置６の各々は、第１コイル用ｂ接点１４と第１コイル用第１ａ接点１５と第１コイル用第２ａ接点１６と第１コイル用第３ａ接点１７とを備える。第１コイル用ｂ接点１４の各々は、電源８の各々と第３コイル１３の各々との間に接続される。第１コイル用第１ａ接点１５は、戸開許可ゾーン検出用ａ接点１０の各々と第１コイル１１の各々との間に接続される。第１コイル用第２ａ接点１６は、第１戸開許可ゾーン検出回路４と第２コイル１２の各々との間に接続される。第１コイル用第３ａ接点１７の各々は、乗場戸開検出用ｂ接点９の各々と並列に接続される。
【００２１】
複数の乗場戸開検出装置６の各々は、第２コイル用ｂ接点１８と第２コイル用第１ａ接点１９と第２コイル用第２ａ接点２０を備える。第２コイル用ｂ接点１８の各々は、第１コイル用ｂ接点１４の各々と第３コイル１３の各々との間に接続される。第２コイル用第１ａ接点１９の各々は、第１コイル用第２ａ接点１６の各々と第２コイル１２の各々との間に接続される。第２コイル用第２ａ接点２０の各々は、乗場戸開検出用ｂ接点９の各々と並列に接続される。第２コイル用第２ａ接点２０の各々は、第１コイル用第３ａ接点１７の各々と直列に接続される。
【００２２】
複数の乗場戸開検出装置６の各々は、第３コイル用第１ａ接点２１と第３コイル用第２ａ接点２２と第３コイル用第３ａ接点２３と第３コイル用ｂ接点２４とを備える。第３コイル用第１ａ接点２１の各々は、戸開許可ゾーン検出用ａ接点１０の各々と第１コイル１１の各々との間に接続される。第３コイル用第１ａ接点２１の各々は、第１コイル用第１ａ接点１５の各々と並列に接続される。第３コイル用第２ａ接点２２の各々は、第１コイル用第２ａ接点１６の各々と第２コイル１２の各々との間に接続される。第３コイル用第２ａ接点２２の各々は、第２コイル用第１ａ接点１９の各々と並列に接続される。第３コイル用第３ａ接点２３の各々は、電源８の各々と第２コイル用ｂ接点１８の各々との間に接続される。第３コイル用第３ａ接点２３の各々は、第１コイル用ｂ接点１４の各々と並列に接続される。第３コイル用ｂ接点２４の各々は、乗場戸開検出用ｂ接点９の各々と並列に接続される。第３コイル用ｂ接点２４の各々は、第１コイル用第３ａ接点１７と第２コイル用第２ａ接点２０と直列に接続される。
【００２３】
制御盤７は、エレベータ全体を制御する。例えば、制御盤７は、かご１の昇降を制御する。
【００２４】
エレベータシステムにおいて、複数の戸開許可ゾーンの各々は、乗場戸１ｂの設置位置に応じて設定される。複数の戸開許可ゾーンの各々は、対応階においてかご戸１ａと乗場戸１ｂとが開き得る位置に設定される。
【００２５】
かご１がいずれの階の戸開許可ゾーンにも進入していないと、第１戸開許可ゾーン検出回路４は、いずれの第１戸開許可ゾーン検出器２も検出しない。この際、第１戸開許可ゾーン検出回路４は、かご１が戸開許可ゾーンに進入していることを示す戸開許可ゾーン進入信号Ｂを制御盤７に送信しない。制御盤７は、戸開許可ゾーン進入信号Ｂを受信しないことによりかご１がいずれの階の戸開許可ゾーンにも進入していないことを検出する。
【００２６】
この際、全ての第２戸開許可ゾーン検出回路５は、第２戸開許可ゾーン検出器３を検出しない。全ての第２戸開許可ゾーン検出回路５が第２戸開許可ゾーン検出器３を検出しないと、全ての戸開許可ゾーン検出用ａ接点１０の一次側に電力が供給されない。
【００２７】
全ての戸開許可ゾーン検出用ａ接点１０の一次側に電力が供給されないと、対応階の第１コイル１１が消磁される。全ての第１コイル１１が消磁されると、全ての第１コイル用ｂ接点１４が閉じる。全ての第１コイル用第２ａ接点１６が開く。全ての第１コイル用第２ａ接点１６が開くと、全ての第２コイル１２が消磁される。全ての第２コイル１２が消磁されると、全ての第２コイル用ｂ接点１８が閉じる。対応階の第２コイル用ｂ接点１８が閉じると、第３コイル１３が励磁される。
【００２８】
その結果、全ての第１コイル用第３ａ接点１７と全ての第２コイル用第２ａ接点２０と全ての第３コイル用ｂ接点２４とは開く。このため、全ての乗場戸開検出用ｂ接点９の両側は、短絡されない。
【００２９】
かご１がいずれかの階の戸開許可ゾーンに進入すると、第１戸開許可ゾーン検出回路４は、対応階の第１戸開許可ゾーン検出器２を検出する。この際、第１戸開許可ゾーン検出回路４は、戸開許可ゾーン進入信号Ｂを送信する。制御盤７は、当該戸開許可ゾーン進入信号Ｂを受信することによりかご１がいずれかの階の戸開許可ゾーンに進入していることを検出する。
【００３０】
この際、対応階の第２戸開許可ゾーン検出回路５は、第２戸開許可ゾーン検出器３を検出する。対応階の第２戸開許可ゾーン検出回路５が第２戸開許可ゾーン検出器３を検出すると、対応階の戸開許可ゾーン検出用ａ接点１０の一次側に電力が供給される。
【００３１】
対応階の戸開許可ゾーン検出用ａ接点１０の一次側に電力が供給されると、対応階の第１コイル１１が励磁される。対応階の第１コイル１１が励磁されると、対応階の第１コイル用第２ａ接点１６が閉じる。対応階の第１コイル用第２ａ接点１６が閉じると、対応階の第２コイル１２が励磁される。対応階の第２コイル１２が励磁されると、対応階の第２コイル用ｂ接点１８が開く。対応階の第２コイル用ｂ接点１８が開くと、第３コイル１３が消磁される。
【００３２】
その結果、対応階の第１コイル用第３ａ接点１７と対応階の第２コイル用第２ａ接点２０と対応階の第３コイル用ｂ接点２４とは閉じる。このため、対応階の乗場戸開検出用ｂ接点９の両側は、短絡される。
【００３３】
この状態において、制御盤７は、対応階の乗場戸１ｂを開く。対応階の乗場戸１ｂが開くと、対応階の乗場戸開検出用ｂ接点９が開く。この際、複数の乗場戸開検出用ｂ接点９が直列に接続された配線の導通は遮断されていない。その結果、複数の乗場戸開検出用ｂ接点９が直列に接続された配線は、一定の電圧を保つ。この場合、いずれの乗場戸開検出装置６も、乗場戸１ｂが開いていることを示す乗場戸開検出信号Ａを制御盤７に送信しない。制御盤７は、乗場戸開検出信号Ａを受信しないことによりかご１にいずれの階の乗場戸１ｂも開いていないと検出する。
【００３４】
これに対し、対応階以外の階の乗場戸１ｂが何らかの理由により開くと、当該階の乗場戸開検出用ｂ接点９が開く。この際、複数の乗場戸開検出用ｂ接点９が直列に接続された配線の導通は遮断される。このため、乗場戸開検出信号Ａは、送信される。制御盤７は、乗場戸開検出信号Ａに基づいてかご１が戸開許可ゾーンに進入している階以外の階の乗場戸１ｂが開いていることを検出する。
【００３５】
かご１がいずれかの階の戸開許可ゾーンから脱出すると、第１戸開許可ゾーン検出回路４は、対応階の第１戸開許可ゾーン検出器２を検出しない。この際、第１戸開許可ゾーン検出回路４は、戸開許可ゾーン進入信号Ｂを送信しない。制御盤７は、当該戸開許可ゾーン進入信号Ｂを受信しないことによりかご１がいずれの階の戸開許可ゾーンにも進入していないことを検出する。
【００３６】
この際、対応階の第２戸開許可ゾーン検出回路５は、第２戸開許可ゾーン検出器３を検出しない。対応階の第２戸開許可ゾーン検出回路５が第２戸開許可ゾーン検出器３を検出しないと、対応階の戸開許可ゾーン検出用ａ接点１０の一次側に電力が供給されない。
【００３７】
対応階の戸開許可ゾーン検出用ａ接点１０の一次側に電力が供給されないと、対応階の第１コイル１１が消磁される。対応階の第１コイル１１が消磁されると、対応階の第１コイル用第２ａ接点１６が開く。対応階の第１コイル用第２ａ接点１６が開くと、対応階の第２コイル１２が消磁される。対応階の第２コイル１２が消磁されると、対応階の第２コイル用ｂ接点１８が閉じる。対応階の第２コイル用ｂ接点１８が閉じると、第３コイル１３が励磁される。
【００３８】
その結果、対応階の第１コイル用第３ａ接点１７と対応階の第２コイル用第２ａ接点２０と対応階の第３コイル用ｂ接点２４とは開く。このため、対応階の乗場戸開検出用ｂ接点９の両側は、短絡されない。
【００３９】
例えば、かご１が対応階の戸開許可ゾーンに進入している際に対応階の第１コイル１１において常に励磁される故障が発生する場合がある。この場合、かご１が対応階の戸開許可ゾーンから脱出しても、対応階の第１コイル用ｂ接点１４は閉じない。その結果、第３コイル１３は、励磁されない。その後、かご１が対応階の戸開許可ゾーンに再び進入しても、第２コイル１２は、励磁されない。このため、第２コイル用第２ａ接点２０は閉じない。
【００４０】
この状態において、対応階の乗場戸１ｂが開くと、対応階の乗場戸開検出用ｂ接点９が開く。この際、複数の乗場戸開検出用ｂ接点９が直列に接続された配線の導通は遮断される。このため、乗場戸開検出信号Ａが送信される。制御盤７は、乗場戸開検出信号Ａを受信することによりいずれかの乗場戸開検出装置６の故障を検出する。
【００４１】
例えば、かご１が対応階の戸開許可ゾーンから脱出している際に対応階の第１コイル１１において常に消磁される故障が発生する場合がある。この場合、かご１が対応階の戸開許可ゾーンに進入しても、第１コイル用第２ａ接点１６が閉じない。このため、第２コイル１２が励磁されない。第２コイル１２が励磁されないと、第２コイル用ｂ接点１８が開かない。第２コイル用ｂ接点１８が開かないと、第３コイル１３が消磁されない。このため、第２コイル用第２ａ接点２０と第３コイル用ｂ接点２４とは閉じない。
【００４２】
この状態において、対応階の乗場戸１ｂが開くと、対応階の乗場戸開検出用ｂ接点９が開く。この際、複数の乗場戸開検出用ｂ接点９が直列に接続された配線の導通は遮断される。このため、乗場戸開検出信号Ａが送信される。制御盤７は、乗場戸開検出信号Ａを受信することによりいずれかの乗場戸開検出装置６の故障を検出する。
【００４３】
例えば、かご１が対応階の戸開許可ゾーンに進入している際に対応階の第２コイル１２において常に励磁される故障が発生する場合がある。この場合、かご１が対応階の戸開許可ゾーンから脱出しても、対応階の第２コイル用ｂ接点１８が閉じない。その結果、第３コイル１３は、励磁されない。その後、かご１が対応階の戸開許可ゾーンに再び進入しても、第１コイル１１は、励磁されない。このため、第１コイル用第３ａ接点１７は閉じない。
【００４４】
この状態において、対応階の乗場戸１ｂが開くと、対応階の乗場戸開検出用ｂ接点９が開く。この際、複数の乗場戸開検出用ｂ接点９が直列に接続された配線の導通は遮断される。このため、乗場戸開検出信号Ａが送信される。制御盤７は、乗場戸開検出信号Ａを受信することによりいずれかの乗場戸開検出装置６の故障を検出する。
【００４５】
例えば、かご１が対応階の戸開許可ゾーンから脱出している際に対応階の第２コイル１２が常に消磁される故障が発生する場合がある。この場合、かご１が対応階の戸開許可ゾーンに進入しても、第２コイル用第１ａ接点１９が閉じない。このため、第２コイル１２が励磁されない。第２コイル１２が励磁されないと、第２コイル用ｂ接点１８が開かない。第２コイル用ｂ接点１８が開かないと、第３コイル１３が消磁されない。このため、第２コイル用第２ａ接点２０と第３コイル用ｂ接点２４とは閉じない。
【００４６】
この状態において、対応階の乗場戸１ｂが開くと、対応階の乗場戸開検出用ｂ接点９が開く。この際、複数の乗場戸開検出用ｂ接点９が直列に接続された配線の導通は遮断される。このため、乗場戸開検出信号Ａが送信される。制御盤７は、乗場戸開検出信号Ａを受信することによりいずれかの乗場戸開検出装置６の故障を検出する。
【００４７】
例えば、かご１が対応階の戸開許可ゾーンから脱出している際に対応階の第３コイル１３において常に励磁される故障が発生する場合がある。この場合、かご１が対応階の戸開許可ゾーンに進入しても、第３コイル用ｂ接点２４は閉じない。
【００４８】
この状態において、対応階の乗場戸１ｂが開くと、対応階の乗場戸開検出用ｂ接点９が開く。この際、複数の乗場戸開検出用ｂ接点９が直列に接続された配線の導通は遮断される。このため、乗場戸開検出信号Ａが送信される。制御盤７は、乗場戸開検出信号Ａを受信することによりいずれかの乗場戸開検出装置６の故障を検出する。
【００４９】
例えば、かご１が対応階の戸開許可ゾーンに進入している際に対応階の第３コイル１３が常に消磁される故障が発生する場合がある。その後、かご１が対応階の戸開許可ゾーンに進入しても、第１コイル１１が励磁されない。第１コイル１１が励磁されないと、第１コイル用第２ａ接点１６が閉じない。第１コイル用第２ａ接点１６が閉じないと、第２コイル１２が励磁されない。このため、第１コイル用第３ａ接点１７と第２コイル用第２ａ接点２０とは閉じない。
【００５０】
この状態において、対応階の乗場戸１ｂが開くと、対応階の乗場戸開検出用ｂ接点９が開く。この際、複数の乗場戸開検出用ｂ接点９が直列に接続された配線の導通は遮断される。このため、乗場戸開検出信号Ａが送信される。制御盤７は、乗場戸開検出信号Ａを受信することによりいずれかの乗場戸開検出装置６の故障を検出する。
【００５１】
次に、図２を用いて、制御盤７の動作を説明する。
図２はこの発明の実態の形態１におけるエレベータシステムの制御盤の動作を説明するためのフローチャートである。
【００５２】
ステップＳ１では、制御盤７は、乗場戸開検出信号Ａを受信しているか否かを判定する。ステップＳ１で制御盤７が乗場戸開検出信号Ａを受信していない場合は、ステップＳ１が繰り返される。ステップＳ１で制御盤７が乗場戸開検出信号Ａを受信している場合は、ステップＳ２に進む。
【００５３】
ステップＳ２では、制御盤７は、戸開許可ゾーン進入信号Ｂを受信しているか否かを判定する。
【００５４】
ステップＳ２で制御盤７が戸開許可ゾーン進入信号Ｂを受信している場合は、ステップＳ３に進む。ステップＳ３では、制御盤７は、いずれかの乗場戸開検出装置６の故障を検出する。この際、制御盤７は、かご１の走行を禁止する。具体的には、制御盤７は、第１制動力でかご１を停止させる。その後、制御盤７は、動作を終了する。
【００５５】
ステップＳ２で制御盤７が戸開許可ゾーン進入信号Ｂを受信していない場合は、ステップＳ４に進む。ステップＳ４では、制御盤７は、第２制動力でかご１を停止させる。例えば、第２制動力の値は、第１制動力の値よりも小さい値に設定される。その後、制御盤７は、動作を終了する。
【００５６】
以上で説明した実施の形態１によれば、乗場戸開検出装置６は、かご１が対応階の戸開許可ゾーンに進入した際に対応した乗場戸開検出用ｂ接点９の両側を短絡させる。このため、かご１の停止階においてかご戸１ａと乗場戸１ｂとが開いている場合でも、かご１の停止階以外の階で乗場戸１ｂが開いていることを検出できる。
【００５７】
また、制御盤７は、いずれかの乗場戸開検出装置６の故障を検出した際にかご１の走行を禁止する。このため、保守員が昇降路の内部に進入する際にかご１と接触することを抑制できる。
【００５８】
また、乗場戸開検出信号Ａを受信している際に戸開許可ゾーン進入信号Ｂを受信していない場合、制御盤７は、第１制動力の値よりも小さい値に設定された第２制動力でかご１を停止させる。このため、走行中のかご１は、徐々に減速する。その結果、かご１の内部に利用者が存在する場合でも、当該利用者に過大な慣性力が作用することを抑制できる。
【００５９】
また、複数の乗場戸開検出装置６の各々は、リレー回路で構成される。複数の乗場戸開検出装置６の各々は、対応したリレー回路が故障している際にかご１が対応階の戸開許可ゾーンに進入した場合は対応した乗場戸開検出用ｂ接点９の両側を短絡させない。この場合、対応した乗場戸１ｂが開くと、乗場戸開検出信号Ａが送信される。このため、乗場戸開検出装置６の故障を外部から診断する必要がない。その結果、最小限の構成で乗場戸開検出装置６の故障を検出することができる。
【００６０】
なお、複数の複数の乗場戸開検出装置６の少なくとも一つをリレー回路で構成してもよい。この場合、当該乗場戸開検出装置６は、対応したリレー回路が故障している際にかご１が対応階の戸開許可ゾーンに進入した場合は対応した乗場戸開検出用ｂ接点９の両側を短絡させない。この場合、対応した乗場戸１ｂが開くと、乗場戸開検出信号Ａが送信される。このため、当該乗場戸開検出装置６の故障を外部から診断する必要がない。その結果、最小限の構成で当該乗場戸開検出装置６の故障を検出することができる。
【００６１】
次に、図３を用いて、制御盤７の例を説明する。
図３はこの発明の実施の形態１におけるエレベータシステムの制御盤のハードウェア構成図である。
【００６２】
制御盤７の主な機能は、処理回路により実現し得る。例えば、処理回路は、少なくとも１つのプロセッサ２５ａと少なくとも１つのメモリ２５ｂとを備える。例えば、処理回路は、少なくとも１つの専用のハードウェア２６を備える。
【００６３】
処理回路が少なくとも１つのプロセッサ２５ａと少なくとも１つのメモリ２５ｂとを備える場合、制御盤７の主な機能は、ソフトウェア、ファームウェア、又はソフトウェアとファームウェアとの組み合わせにより実現される。ソフトウェアおよびファームウェアの少なくとも一方は、プログラムとして記述される。ソフトウェアおよびファームウェアの少なくとも一方は、少なくとも１つのメモリ２５ｂに格納される。少なくとも１つのプロセッサ２５ａは、少なくとも１つのメモリ２５ｂに記憶されたプログラムを読み出して実行することにより、制御盤７の主な機能を実現する。少なくとも１つのプロセッサ２５ａは、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。例えば、少なくとも１つのメモリ２５ｂは、ＲＡＭ、ＲＯＭ、フラッシュメモリ、ＥＰＲＯＭ、ＥＥＰＲＯＭ等の、不揮発性又は揮発性の半導体メモリ、磁気ディスク、フレキシブルディスク、光ディスク、コンパクトディスク、ミニディスク、ＤＶＤ等である。
【００６４】
処理回路が少なくとも１つの専用のハードウェア２６を備える場合、処理回路は、例えば、単一回路、複合回路、プログラム化したプロセッサ、並列プログラム化したプロセッサ、ＡＳＩＣ、ＦＰＧＡ、又はこれらを組み合わせたものである。例えば、制御盤７の主な機能は、それぞれ処理回路で実現される。例えば、制御盤７の主な機能は、まとめて処理回路で実現される。
【００６５】
制御盤７の主な機能について、一部を専用のハードウェア２６で実現し、他部をソフトウェア又はファームウェアで実現してもよい。例えば、かご１を昇降させる機能については専用のハードウェア２６としての処理回路で実現し、かご１を昇降させる機能以外の機能については少なくとも１つのプロセッサ２５ａが少なくとも１つのメモリ２５ｂに格納されたプログラムを読み出して実行することによって実現してもよい。
【００６６】
このように、処理回路は、ハードウェア２６、ソフトウェア、ファームウェア、又はこれらの組み合わせによって、制御装置の機能を実現する。
【産業上の利用可能性】
【００６７】
以上のように、当該エレベータシステムは、かごの停止階においてかご戸と乗場戸が開いている場合でも、かごの停止階以外の階で乗場戸が開いていることを検出するシステムに利用できる。
【符号の説明】
【００６８】
１  かご、  １ａ  かご戸、１ｂ  乗場戸、  ２  第１戸開許可ゾーン検出器、  ３  第２戸開許可ゾーン検出器、  ４  第１戸開許可ゾーン検出回路、  ５  第２戸開許可ゾーン検出回路、  ６  乗場戸開検出装置、  ７  制御盤、  ８  電源、  ９  乗場戸開検出用ｂ接点、  １０  戸開許可ゾーン検出用ａ接点、  １１  第１コイル、  １２  第２コイル、１３  第３コイル、  １４  第１コイル用ｂ接点、  １５  第１コイル用第１ａ接点、  １６  第１コイル用第２ａ接点、  １７  第１コイル用第３ａ接点、  １８  第２コイル用ｂ接点、  １９  第２コイル用第１ａ接点、  ２０  第２コイル用第２ａ接点、  ２１  第３コイル用第１ａ接点、  ２２  第３コイル用第２ａ接点、  ２３  第３コイル用第３ａ接点、  ２４  第３コイル用ｂ接点、  ２５ａ  プロセッサ、  ２５ｂ  メモリ、  ２６  ハードウェア
【図１】
2018002992.tif 000003
【図２】
2018002992.tif 000004
【図３】
2018002992.tif 000005
【手続補正書】
【提出日】平成30年8月7日(2018.8.7)
【手続補正１】
【補正対象書類名】特許請求の範囲
【補正対象項目名】全文
【補正方法】変更
【補正の内容】
【特許請求の範囲】
【請求項１】
戸開許可ゾーンがそれぞれ設定された複数の乗場戸と、
昇降路の内部において前記複数の乗場戸の位置に応じてそれぞれ設けられ、エレベータのかごが対応する戸開許可ゾーンに進入したことを検出する複数の第２戸開許可ゾーン検出回路と、
昇降路の内部において前記複数の乗場戸の位置に応じてそれぞれ設けられ、対応する乗場戸の開閉状態に応じて開閉状態が変化する乗場戸開検出用接点を有し、対応する第２戸開許可ゾーン検出回路が前記かごが前記対応する戸開許可ゾーンに進入したことを検出すると前記乗場戸開検出用接点の両端を短絡する複数の乗場戸開検出装置と、
前記複数の乗場戸開検出用接点を直列に接続する配線と接続し、前記複数の第２戸開許可ゾーン検出回路の検出状態及び前記複数の乗場戸開検出用接点の状態に基づいて前記かごが戸開許可ゾーンに進入している乗場戸以外の乗場戸が開いていることを検出する制御盤と、
を備え、
前記制御盤は、前記複数の第２戸開許可ゾーン検出回路及び前記複数の乗場戸開検出用接点の状態に基づいて前記複数の乗場戸開検出装置のうちいずれかが故障したことを検出するエレベータシステム。
【請求項２】
前記制御盤は、前記複数の乗場戸開検出装置のうちいずれかが故障したことを検出した場合に前記かごの走行を禁止する請求項１に記載のレベータシステム。
【請求項３】
戸開許可ゾーンがそれぞれ設定された複数の乗場戸と、
昇降路の内部において前記複数の乗場戸の位置に応じてそれぞれ設けられ、エレベータのかごが対応する戸開許可ゾーンに進入したことを検出する複数の第２戸開許可ゾーン検出回路と、
昇降路の内部において前記複数の乗場戸の位置に応じてそれぞれ設けられ、対応する乗場戸の開閉状態に応じて開閉状態が変化する乗場戸開検出用接点を有し、対応する第２戸開許可ゾーン検出回路が前記かごが前記対応する戸開許可ゾーンに進入したことを検出すると前記乗場戸開検出用接点の両端を短絡する複数の乗場戸開検出装置と、
前記複数の乗場戸開検出用接点を直列に接続する配線と接続し、前記複数の第２戸開許可ゾーン検出回路の検出状態及び前記複数の乗場戸開検出用接点の状態に基づいて前記かごが戸開許可ゾーンに進入している乗場戸以外の乗場戸が開いていることを検出する制御盤と、
を備え、
前記複数の乗場戸開検出装置のうち少なくとも１つは、リレー回路で構成され、
前記リレー回路が故障している際に前記かごが当該リレー回路に対応する戸開許可ゾーンに進入した場合は当該リレー回路の乗場戸開検出用接点の両側を短絡させないエレベータシステム。
【請求項４】
戸開許可ゾーンがそれぞれ設定された複数の乗場戸と、
昇降路の内部において前記複数の乗場戸の位置に応じてそれぞれ設けられ、エレベータのかごが対応する戸開許可ゾーンに進入したことを検出する複数の第２戸開許可ゾーン検出回路と、
昇降路の内部において前記複数の乗場戸の位置に応じてそれぞれ設けられ、対応する乗場戸の開閉状態に応じて開閉状態が変化する乗場戸開検出用接点を有し、対応する第２戸開許可ゾーン検出回路が前記かごが前記対応する戸開許可ゾーンに進入したことを検出すると前記乗場戸開検出用接点の両端を短絡する複数の乗場戸開検出装置と、
前記かごに設けられた第１戸開許可ゾーン検出回路と、
前記昇降路の内部において前記複数の乗場戸の位置に応じてそれぞれ設けられた複数の第１戸開許可ゾーン検出器と、
前記複数の乗場戸開検出用接点を直列に接続する配線と接続し、前記複数の第２戸開許可ゾーン検出回路の検出状態及び前記複数の乗場戸開検出用接点の状態に基づいて前記かごが戸開許可ゾーンに進入している乗場戸以外の乗場戸が開いていることを検出する制御盤と、を備え、
前記制御盤は、前記第１戸開許可ゾーン検出回路が前記複数の第１戸開許可ゾーン検出器のうちいずれかを検出すると、前記かごが前記第１戸開許可ゾーン検出回路が検出した第１戸開許可ゾーン検出器に対応する戸開許可ゾーンに進入したことを検出し、前記第１戸開許可ゾーン検出回路の検出状態に基づいて前記複数の乗場戸開検出装置のうちいずれかが故障したことを検出するエレベータシステム。
【請求項５】
戸開許可ゾーンがそれぞれ設定された複数の乗場戸と、
昇降路の内部において前記複数の乗場戸の位置に応じてそれぞれ設けられ、エレベータのかごが対応する戸開許可ゾーンに進入したことを検出する複数の第２戸開許可ゾーン検出回路と、
昇降路の内部において前記複数の乗場戸の位置に応じてそれぞれ設けられ、対応する乗場戸の開閉状態に応じて開閉状態が変化する乗場戸開検出用接点を有し、対応する第２戸開許可ゾーン検出回路が前記かごが前記対応する戸開許可ゾーンに進入したことを検出すると前記乗場戸開検出用接点の両端を短絡する複数の乗場戸開検出装置と、
前記かごに設けられた第１戸開許可ゾーン検出回路と、
前記昇降路の内部において前記複数の乗場戸の位置に応じてそれぞれ設けられた複数の第１戸開許可ゾーン検出器と、
前記複数の乗場戸開検出用接点を直列に接続する配線と接続し、前記複数の第２戸開許可ゾーン検出回路の検出状態及び前記複数の乗場戸開検出用接点の状態に基づいて前記かごが戸開許可ゾーンに進入している乗場戸以外の乗場戸が開いていることを検出する制御盤と、を備え、
前記制御盤は、前記第１戸開許可ゾーン検出回路が前記複数の第１戸開許可ゾーン検出器のうちいずれかを検出すると、前記かごが前記第１戸開許可ゾーン検出回路が検出した第１戸開許可ゾーン検出器に対応する戸開許可ゾーンに進入したことを検出し、前記複数の乗場戸開検出用接点を直列に接続する配線が開放しかつ前記第１戸開許可ゾーン検出回路が前記複数の第１戸開許可ゾーン検出器のいずれも検出していない場合には、前記複数の乗場戸開検出用接点を直列に接続する配線が開放しかつ前記第１戸開許可ゾーン検出回路が前記複数の第１戸開許可ゾーン検出器のうちいずれかを検出している場合よりも小さい制動力で前記かごを停止させるエレベータシステム。
【手続補正２】
【補正対象書類名】明細書
【補正対象項目名】０００６
【補正方法】変更
【補正の内容】
【０００６】
この発明に係るエレベータシステムは、戸開許可ゾーンがそれぞれ設定された複数の乗場戸と、昇降路の内部において前記複数の乗場戸の位置に応じてそれぞれ設けられ、エレベータのかごが対応する戸開許可ゾーンに進入したことを検出する複数の第２戸開許可ゾーン検出回路と、昇降路の内部において前記複数の乗場戸の位置に応じてそれぞれ設けられ、対応する乗場戸の開閉状態に応じて開閉状態が変化する乗場戸開検出用接点を有し、対応する第２戸開許可ゾーン検出回路が前記かごが前記対応する戸開許可ゾーンに進入したことを検出すると前記乗場戸開検出用接点の両端を短絡する複数の乗場戸開検出装置と、前記複数の乗場戸開検出用接点を直列に接続する配線と接続し、前記複数の第２戸開許可ゾーン検出回路の検出状態及び前記複数の乗場戸開検出用接点の状態に基づいて前記かごが戸開許可ゾーンに進入している乗場戸以外の乗場戸が開いていることを検出する制御盤と、を備え、前記制御盤は、前記複数の第２戸開許可ゾーン検出回路及び前記複数の乗場戸開検出用接点の状態に基づいて前記複数の乗場戸開検出装置のうちいずれかが故障したことを検出する。
この発明に係るエレベータシステムは、戸開許可ゾーンがそれぞれ設定された複数の乗場戸と、昇降路の内部において前記複数の乗場戸の位置に応じてそれぞれ設けられ、エレベータのかごが対応する戸開許可ゾーンに進入したことを検出する複数の第２戸開許可ゾーン検出回路と、昇降路の内部において前記複数の乗場戸の位置に応じてそれぞれ設けられ、対応する乗場戸の開閉状態に応じて開閉状態が変化する乗場戸開検出用接点を有し、対応する第２戸開許可ゾーン検出回路が前記かごが前記対応する戸開許可ゾーンに進入したことを検出すると前記乗場戸開検出用接点の両端を短絡する複数の乗場戸開検出装置と、前記複数の乗場戸開検出用接点を直列に接続する配線と接続し、前記複数の第２戸開許可ゾーン検出回路の検出状態及び前記複数の乗場戸開検出用接点の状態に基づいて前記かごが戸開許可ゾーンに進入している乗場戸以外の乗場戸が開いていることを検出する制御盤と、を備え、前記複数の乗場戸開検出装置のうち少なくとも１つは、リレー回路で構成され、前記リレー回路が故障している際に前記かごが当該リレー回路に対応する戸開許可ゾーンに進入した場合は当該リレー回路の乗場戸開検出用接点の両側を短絡させない。
この発明に係るエレベータシステムは、戸開許可ゾーンがそれぞれ設定された複数の乗場戸と、昇降路の内部において前記複数の乗場戸の位置に応じてそれぞれ設けられ、エレベータのかごが対応する戸開許可ゾーンに進入したことを検出する複数の第２戸開許可ゾーン検出回路と、昇降路の内部において前記複数の乗場戸の位置に応じてそれぞれ設けられ、対応する乗場戸の開閉状態に応じて開閉状態が変化する乗場戸開検出用接点を有し、対応する第２戸開許可ゾーン検出回路が前記かごが前記対応する戸開許可ゾーンに進入したことを検出すると前記乗場戸開検出用接点の両端を短絡する複数の乗場戸開検出装置と、前記かごに設けられた第１戸開許可ゾーン検出回路と、前記昇降路の内部において前記複数の乗場戸の位置に応じてそれぞれ設けられた複数の第１戸開許可ゾーン検出器と、前記複数の乗場戸開検出用接点を直列に接続する配線と接続し、前記複数の第２戸開許可ゾーン検出回路の検出状態及び前記複数の乗場戸開検出用接点の状態に基づいて前記かごが戸開許可ゾーンに進入している乗場戸以外の乗場戸が開いていることを検出する制御盤と、を備え、前記制御盤は、前記第１戸開許可ゾーン検出回路が前記複数の第１戸開許可ゾーン検出器のうちいずれかを検出すると、前記かごが前記第１戸開許可ゾーン検出回路が検出した第１戸開許可ゾーン検出器に対応する戸開許可ゾーンに進入したことを検出し、前記第１戸開許可ゾーン検出回路の検出状態に基づいて前記複数の乗場戸開検出装置のうちいずれかが故障したことを検出する。
この発明に係るエレベータシステムは、戸開許可ゾーンがそれぞれ設定された複数の乗場戸と、昇降路の内部において前記複数の乗場戸の位置に応じてそれぞれ設けられ、エレベータのかごが対応する戸開許可ゾーンに進入したことを検出する複数の第２戸開許可ゾーン検出回路と、昇降路の内部において前記複数の乗場戸の位置に応じてそれぞれ設けられ、対応する乗場戸の開閉状態に応じて開閉状態が変化する乗場戸開検出用接点を有し、対応する第２戸開許可ゾーン検出回路が前記かごが前記対応する戸開許可ゾーンに進入したことを検出すると前記乗場戸開検出用接点の両端を短絡する複数の乗場戸開検出装置と、前記かごに設けられた第１戸開許可ゾーン検出回路と、前記昇降路の内部において前記複数の乗場戸の位置に応じてそれぞれ設けられた複数の第１戸開許可ゾーン検出器と、前記複数の乗場戸開検出用接点を直列に接続する配線と接続し、前記複数の第２戸開許可ゾーン検出回路の検出状態及び前記複数の乗場戸開検出用接点の状態に基づいて前記かごが戸開許可ゾーンに進入している乗場戸以外の乗場戸が開いていることを検出する制御盤と、を備え、前記制御盤は、前記第１戸開許可ゾーン検出回路が前記複数の第１戸開許可ゾーン検出器のうちいずれかを検出すると、前記かごが前記第１戸開許可ゾーン検出回路が検出した第１戸開許可ゾーン検出器に対応する戸開許可ゾーンに進入したことを検出し、前記複数の乗場戸開検出用接点を直列に接続する配線が開放しかつ前記第１戸開許可ゾーン検出回路が前記複数の第１戸開許可ゾーン検出器のいずれも検出していない場合には、前記複数の乗場戸開検出用接点を直列に接続する配線が開放しかつ前記第１戸開許可ゾーン検出回路が前記複数の第１戸開許可ゾーン検出器のうちいずれかを検出している場合よりも小さい制動力で前記かごを停止させる。
【国際調査報告】
2018002992.tif 000006
2018002992.tif 000007